(57)【要約】【課題】狭いピッチで光素子を配置でき、かつ、光素子の位置ずれを抑制可能な光モジュール及びその製造方法を提供する。【解決手段】複数本の光ファイバとしての送信側光ファイバ５と、複数本の送信側光ファイバ５と光結合される複数の光素子としての発光素子４１と、複数の発光素子４１が搭載される基板としてのベース４３と、を備え、ベース４３の表面には、複数の溝４３ａまたは突起が整列方向に離間して形成され、表面の高さ位置が異なる凸部４４と凹部４５とが整列方向に沿って交互に形成されており、凸部４４と凹部４５に、それぞれ発光素子４１が接着剤４６により固定されている。【選択図】図３
2017102319.tif 000002
【特許請求の範囲】
【請求項１】
複数本の光ファイバと、
前記複数本の光ファイバと光結合される複数の光素子と、
前記複数の光素子が搭載される基板と、を備え、
前記基板の表面には、複数の溝または突起が整列方向に離間して形成され、表面の高さ位置が異なる凸部と凹部とが前記整列方向に沿って交互に形成されており、
前記凸部と前記凹部に、それぞれ前記光素子が接着剤により固定されている、
光モジュール。
【請求項２】
前記凸部と前記凹部との間の段差の高さが、２５μｍ以上５０μｍ以下である、
請求項１に記載の光モジュール。
【請求項３】
前記凹部の前記整列方向に沿った幅が、少なくとも、前記凸部の前記整列方向に沿った幅以下である、
請求項１または２に記載の光モジュール。
【請求項４】
前記光素子が、発光部または受光部を１つ有する単光学素子からなる、
請求項１乃至３の何れか１項に記載の光モジュール。
【請求項５】
前記凸部に固定される前記光素子が、前記整列方向に沿って整列配置され、
前記凹部に固定される前記光素子が、前記整列方向に沿って整列配置されており、
前記凸部に固定される前記光素子と、前記凹部に固定される前記光素子とが、前記整列方向と垂直方向にずれた位置に搭載されている、
請求項１乃至４の何れか１項に記載の光モジュール。
【請求項６】
前記基板は、送信用または受信用の回路基板に設けられた切欠きを塞ぐように設けられ、前記回路基板のグランドパターンと電気的に接続された金属からなるベースからなる、
請求項１乃至５の何れか１項に記載の光モジュール。
【請求項７】
複数本の光ファイバと、
前記複数本の光ファイバと光結合される複数の光素子と、
前記複数の光素子が搭載される基板と、を備えた光モジュールの製造方法であって、
前記基板の表面に、複数の溝または突起を整列方向に離間して形成し、表面の高さ位置が異なる凸部と凹部とを前記整列方向に沿って交互に形成し、
前記凸部と前記凹部に接着剤を塗布し、
前記凹部の前記接着剤を塗布した位置に、前記光素子を載置した後に、
前記凸部の前記接着剤を塗布した位置に、前記光素子を載置し、
前記接着剤を硬化させる、
光モジュールの製造方法。
【請求項８】
前記基板の表面に、エッチングにより前記複数の溝を形成することにより、前記凸部と前記凹部とを形成した、
請求項７に記載の光モジュールの製造方法。
【発明の詳細な説明】
【技術分野】
【０００１】
本発明は、光モジュール及びその製造方法に関する。
【背景技術】
【０００２】
従来、複数本の光ファイバと、複数本の光ファイバと光結合される光素子と、光素子が搭載される基板と、を備えた複数チャンネルに対応した光モジュールが知られている（例えば、特許文献１参照。）。
【０００３】
この種の光モジュールでは、光素子として、アレイ状の光素子を用いることが多い。しかし、アレイ状の光素子は、発光部または受光部のうち１つでも動作不良と判断されると、アレイ状の光素子全体が不良と判断されるため、歩留りが悪く高価であるという課題がある。
【０００４】
特許文献１では、発光部または受光部を１つのみ有する光素子（単光学素子）を複数用い、これら複数の光素子を基板に整列して配列した光モジュールが提案されている。このように構成することで、高価なアレイ状の光素子を用いずとも、複数チャンネルに対応した光モジュールを実現することが可能になる。
【先行技術文献】
【特許文献】
【０００５】
【特許文献１】特開２０１３−８００６９号公報
【特許文献２】特開２００６−９３５２３号公報
【発明の概要】
【発明が解決しようとする課題】
【０００６】
ところで、光素子として面発光素子または面受光素子を用いる場合、発光部または受光部を基板と反対側に向けて配置し、光素子と光ファイバとをレンズブロックを介して光結合させるように構成する場合がある。このような場合、光素子は、銀−エポキシ系の接着剤等の接着剤を用いて基板に接着固定されるのが通常である。
【０００７】
しかしながら、接着剤を用いて複数の光素子を接着固定する際に、光素子の下方の接着剤が側方に押し出され、この押し出された接着剤によって既に配置していた光素子に位置ずれが生じてしまう、という問題がある。
【０００８】
押し出される接着剤の影響を抑えるために、接着剤の量を少なくし微小範囲に塗布することも考えられるが、光素子の接着固定に用いる接着剤は粘度が高く、接着剤を塗布するディスペンサに径の細いニードル（針）を使用できないため、接着剤を微小範囲に塗布することは困難である。
【０００９】
また、押し出される接着剤の影響を抑えるために、光素子の間隔を大きくすることも考えられるが、この場合、レンズブロックや基板が大型化し、光モジュール全体の大型化につながってしまうという問題がある。
【００１０】
なお、押し出される接着剤の影響を抑えるために、全ての光素子を同時に搭載することも考えられるが、現状の技術では、コストや精度等の観点から、全ての光素子を同時に搭載することは困難であった。
【００１１】
特許文献２では、基板に形成した溝（キャビティ）に光素子を挿入することで、光素子を接着固定する際の位置ずれを抑制することが提案されているが、この方法では、溝を離間して形成する必要があるために、光素子同士の間隔（ピッチ）が大きくなってしまい、レンズブロックや基板が大型化し、光モジュール全体の大型化をまねいてしまう。そのため、狭いピッチで光素子を配置して高密度実装を実現し、かつ、光素子の位置ずれを抑制可能な技術が要求されている。
【００１２】
そこで、本発明は、狭いピッチで光素子を配置でき、かつ、光素子の位置ずれを抑制可能な光モジュール及びその製造方法を提供することを目的とする。
【課題を解決するための手段】
【００１３】
本発明は、上記課題を解決することを目的として、複数本の光ファイバと、前記複数本の光ファイバと光結合される複数の光素子と、前記複数の光素子が搭載される基板と、を備え、前記基板の表面には、複数の溝または突起が整列方向に離間して形成され、表面の高さ位置が異なる凸部と凹部とが前記整列方向に沿って交互に形成されており、前記凸部と前記凹部に、それぞれ前記光素子が接着剤により固定されている、光モジュールを提供する。
【００１４】
また、本発明は、上記課題を解決することを目的として、複数本の光ファイバと、前記複数本の光ファイバと光結合される複数の光素子と、前記複数の光素子が搭載される基板と、を備えた光モジュールの製造方法であって、前記基板の表面に、複数の溝または突起を整列方向に離間して形成し、表面の高さ位置が異なる凸部と凹部とを前記整列方向に沿って交互に形成し、前記凸部と前記凹部に接着剤を塗布し、前記凹部の前記接着剤を塗布した位置に、前記光素子を載置した後に、前記凸部の前記接着剤を塗布した位置に、前記光素子を載置し、前記接着剤を硬化させる、光モジュールの製造方法を提供する。
【発明の効果】
【００１５】
本発明によれば、狭いピッチで光素子を配置でき、かつ、光素子の位置ずれを抑制可能な光モジュール及びその製造方法を提供できる。
【図面の簡単な説明】
【００１６】
【図１】本発明の一実施の形態に係る光モジュールの分解斜視図である。
【図２】図１の光モジュールの外観を示す斜視図である。
【図３】図１の光モジュールの送信側光電変換部を示す図であり、（ａ）は断面図、（ｂ）は上面図、（ｃ）は側面図である。
【図４】（ａ），（ｂ）は、光モジュールの製造方法を説明する図である。
【図５】（ａ），（ｂ）は、光モジュールの製造方法を説明する図である。
【図６】本発明の一変形例に係る光モジュールの上面図である。
【発明を実施するための形態】
【００１７】
［実施の形態］
以下、本発明の実施の形態を添付図面にしたがって説明する。
【００１８】
（光モジュールの全体構成）
図１は、本実施の形態に係る光モジュールの分解斜視図であり、図２はその外観を示す斜視図である。
【００１９】
図１，２に示すように、光モジュール１は、送信側回路基板２と受信側回路基板３とを有し、複数チャンネルの光信号を送受信可能に構成されている。光モジュール１は、例えば、１２チャンネル双方向（送信１２チャンネル、受信１２チャンネル）の通信が可能に構成されている。光モジュール１は、例えば、１チャンネルあたり１０Ｇｂ／ｓ（ギガビット毎秒）の信号を伝送する高速伝送用の光モジュールである。
【００２０】
送信側回路基板２には、電気信号を光信号に変換する送信側光電変換部４が搭載され、送信側光電変換部４には複数本（例えば１２本）の送信側光ファイバ５がＭＴフェルール５ａを介して接続されている。送信側回路基板２の一端部には電極が整列して形成され、送信側カードエッジコネクタ２ａが形成されている。送信側光電変換部４の具体的な構成については後述する。
【００２１】
受信側回路基板３には、光信号を電気信号に変換する受信側光電変換部６が搭載され、受信側光電変換部６には複数本（例えば１２本）の受信側光ファイバ７が図示しないＭＴフェルールを介して接続されている。受信側回路基板３の一端部には、電極が整列して形成され、受信側カードエッジコネクタ３ａが形成されている。図示していないが、受信側光電変換部６は、ＰＤ（Photo Diode）等の受光素子と、受光素子からの電気信号を増幅するアンプＩＣと、受信側光ファイバ７と受光素子とを光結合するレンズブロックと、を有して構成されている。
【００２２】
送信側回路基板２と受信側回路基板３とは、光電変換部４，６を搭載した表面同士を向い合せた状態で上下に配置され、筐体８内に収容される。両回路基板２，３の他端側から延出された送信側光ファイバ５と受信側光ファイバ７は、束ねられてケーブル化され、光ファイバケーブル９として筐体８から延出されている。
【００２３】
（送信側光電変換部４の説明）
図３は、送信側光電変換部４を示す図であり、（ａ）は断面図、（ｂ）は上面図、（ｃ）は側面図である。なお、図３（ｂ）では送信側光ファイバ５とレンズブロック４２とを省略して示している。
【００２４】
図１および図３に示すように、送信側光電変換部４は、複数本の送信側光ファイバ５と、複数の発光素子４１とが、レンズブロック４２を介して光結合されている。
【００２５】
発光素子４１は、ＶＣＳＥＬ（Vertical Cavity Surface Emitting LASER）等の面発光素子からなり、ベース４３に搭載されている。ここでは、発光素子４１として、発光部を１つのみ有する単光学素子を用い、各発光素子４１を発光部がベース４３と反対側（上側）を向くようにベース４３に搭載した。本実施の形態では、発光素子４１として、長さＬが２５０μｍ、幅Ｗが２５０μｍ、高さＨが２００μｍのものを用いた。発光素子４１は本発明の光素子の一態様であり、送信側光ファイバ５は本発明の光ファイバの一態様、ベース４３は本発明の基板の一態様である。なお、図３（ａ），（ｂ）では６個の発光素子４１のみを示しているが、発光素子４１の数はこれに限定されない。例えば、１２チャンネルの送信が可能な光モジュール１では、１２個の発光素子４１がベース４３に搭載されることになる。
【００２６】
図示していないが、送信側光電変換部４は、送信側回路基板２に搭載され発光素子４１を駆動する駆動ＩＣを有しており、各発光素子４１と駆動ＩＣとがワイヤ４１ａ（図１参照）を介して電気的に接続されている。
【００２７】
発光素子４１を搭載する基板としてのベース４３は、導電性の部材、例えば、銅タングステン（Ｃｕ−Ｗ）やコバールなどの金属からなり、送信側回路基板２の内層に形成された図示しないグランドパターンと電気的に接続されている。ベース４３は、送信側回路基板２に形成された切欠き２ｂ（図１参照）を裏面側から塞ぐように送信側回路基板２に設けられている。
【００２８】
各発光素子４１の上方には、レンズブロック４２が配置されている。レンズブロック４２は、図示しないレンズ枠を介してベース４３に固定されている。レンズ枠には、送信側光ファイバ５の端部に設けられたＭＴフェルール５ａが係合され、送信側光ファイバ５と対応する発光素子４１とがレンズブロック４２を介して光学的に接続されている。
【００２９】
レンズブロック４２の下面には、各発光素子４１に対応するように素子側レンズ４２ａが形成されており、レンズブロック４２の側面には、各送信側光ファイバ５に対応するようにファイバ側レンズ４２ｂが形成されている。また、レンズブロック４２は、各発光素子４１から素子側レンズ４２ａを介して入射された光を反射し、ファイバ側レンズ４２ｂを介して送信側光ファイバ５に出射する反射面４２ｃを有している。
【００３０】
さて、本実施の形態に係る光モジュール１では、ベース４３の表面には、複数の溝４３ａが任意の整列方向（ここでは、図３（ａ），（ｂ）における左右方向）に離間して形成され、表面の高さ位置が異なる凸部４４と凹部４５とが整列方向に沿って交互に形成されており、凸部４４と凹部４５に、それぞれ発光素子４１が接着剤４６により固定されている。接着剤４６としては、例えば、銀−エポキシ系の接着剤を用いることができる。
【００３１】
各発光素子４１は、その幅方向が整列方向と一致するように、幅方向に一直線状に整列して配置されている。本実施の形態では、凹部４５の幅（溝４３ａの幅）ｄ１と、凸部４４の幅（隣り合う溝４３ａの間隔）ｄ２とが略等しく形成されており、発光素子４１の幅Ｗと略等しく（幅Ｗよりも若干大きく）なるように形成されている。この場合、整列方向における発光素子４１のピッチＰは、発光素子４１の幅Ｗ（ここでは２５０μｍ）と略等しくなる。
【００３２】
本実施の形態では、凸部４４と凹部４５との間に形成される段差４７（溝４３ａの側壁）は、凸部４４および凹部４５の表面（上面）に対して垂直に形成されている。
【００３３】
なお、ここでは、凹部４５と凸部４４の幅ｄ１，ｄ２を略等しく形成したが、凹部４５と凸部４４の幅ｄ１，ｄ２は異なっていてもよい。ただし、凹部４５の幅ｄ１は、発光素子４１の位置ずれを抑制するために、発光素子４１の幅Ｗと略同じ大きさ（より具体的には、発光素子４１の幅Ｗよりも数μｍ程度大きい幅）とすることが望ましい。これは、詳細は後述するが、本実施の形態では、凹部４５と凸部４４との間の段差４７により、凹部４５に搭載した発光素子４１の位置ずれを抑制しているためである。そのため、発光素子４１のピッチＰを大きくしたい場合には、凸部４４の幅ｄ２が発光素子４１の幅Ｗよりも大きくなるように調整するとよい。換言すれば、本実施の形態では、凹部４５の整列方向に沿った幅ｄ１は、少なくとも、凸部４４の整列方向に沿った幅ｄ２以下とされている。
【００３４】
なお、凹部４５の幅ｄ１を、発光素子４１の幅Ｗよりも数μｍ程度大きい幅とするのは、発光素子４１を凹部４５内に挿入し易くし、かつ、発光素子４１を凹部４５内に挿入した際に接着剤４６が押し出される経路を確保しつつも、凸部４４に発光素子４１を搭載する際に押し出された接着剤４６によって予め凹部４５に搭載された発光素子４１の位置ずれが発生することを抑制するためである。凹部４５の幅ｄ１を大きくし過ぎると、段差４７と発光素子４１との距離が大きくなり、発光素子４１の位置ずれが大きくなるおそれがあるため、凹部４５の幅ｄ１は、発光素子４１の幅Ｗプラス１０μｍ以下とされることが望ましい。
【００３５】
凸部４４と凹部４５との間の段差４７の高さ（溝４３ａの深さ）ｈは、２５μｍ以上５０μｍ以下であることが望ましい。これは、段差４７の高さｈが２５μｍ未満であると、段差４７が発光素子４１の位置ずれを十分に抑制できず、５０μｍを超えると、凸部４４に搭載した発光素子４１と、凹部４５に搭載した発光素子４１との高さのずれが大きくなりすぎ、両者に対して同じ形状の素子側レンズ４２ａを用いた場合に、光損失が大きくなってしまうためである。
【００３６】
送信側光ファイバ５の開口数（ＮＡ）や発光素子４１の発光部の面積、あるいは要求される光損失の特性等にもよるが、段差４７の高さｈが５０μｍ以下であれば、凸部４４に搭載された発光素子４１に対応する素子側レンズ４２ａと、凹部４５に搭載された発光素子４１に対応する素子側レンズ４２ａとが同じ形状である従来より用いられているレンズブロック４２を使用することができ、コストをより抑制できる。
【００３７】
なお、凸部４４と凹部４５との間の段差４７の高さｈが５０μｍを超える場合には、凸部４４に搭載された発光素子４１に対応する素子側レンズ４２ａと、凹部４５に搭載された発光素子４１に対応する素子側レンズ４２ａとを異なる形状（異なる焦点距離）とした専用のレンズブロック４２を用いることで、光損失を抑制することができる。
【００３８】
溝４３ａは、切削加工等の機械的な加工により形成してもよいが、この溝４３ａは、凹部４５に固定する発光素子４１の位置決め（アライメントマーク）の役割も果たすことになるため、エッチングにより精度よく形成することが望ましい。ここでは、ベース４３としてコバールからなるものを用いたが、これに限らず、ベース４３は、エッチングが可能な導電性の材料から構成されていればよい。
【００３９】
なお、本実施の形態では、複数の溝４３ａを形成することにより凸部４４と凹部４５を形成したが、これに限らず、ベース４３に複数の突起を形成することで、凸部４４と凹部４５を形成してもよい。この場合、真空蒸着やスパッタリング等の任意の方法により、ベース４３の所定の位置に凸部４４となる突起を成膜するようにすればよい。
【００４０】
次に、発光素子４１をベース４３に搭載する手順について説明する。
【００４１】
図４（ａ），（ｂ）に示すように、まず、基板としてのベース４３の表面に、複数の溝４３ａを任意の整列方向に離間して形成し、表面の高さ位置が異なる凸部４４と凹部４５とを整列方向に沿って交互に形成し、凸部４４と凹部４５に接着剤４６を塗布する。ここでは、点状に接着剤４６を塗布する場合を示しているが、整列方向に直線状に接着剤４６を塗布してもよい。塗布する接着剤４６の量は、発光素子４１を載置した際に側方に押し出される量が多くなり過ぎないように、適宜調整される。
【００４２】
その後、図５（ａ），（ｂ）に示すように、各凹部４５の接着剤４６を塗布した位置に、発光素子４１を載置する。このとき、発光素子４１の下方の接着剤４６が側方に押し出されるが、段差４７の影響により、接着剤４６は凸部４４側には押し出されにくくなっている。
【００４３】
その後、各凸部４４の接着剤４６を塗布した位置に、発光素子４１を載置する。このとき、発光素子４１の下方の接着剤４６が側方に押し出され、押し出された接着剤４６の一部が凹部４５に搭載された発光素子４１側に移動するが、凸部４４と凹部４５との間の段差４７により、凹部４５に搭載された発光素子４１の移動が規制されるため、凹部４５に搭載された発光素子４１の位置ずれを抑制することが可能である。
【００４４】
その後、接着剤４６を硬化させると、図３（ａ）〜（ｃ）に示した状態となり、発光素子４１の搭載作業が完了する。
【００４５】
（変形例）
本実施の形態では、全ての発光素子４１を整列方向に沿って一直線状に整列配置したが、これに限らず、図６に示すように、凸部４４に固定される発光素子４１と、凹部４５に固定される発光素子４１とが、整列方向と垂直方向にずれた位置に搭載されていてもよい。凸部４４に固定される発光素子４１は、整列方向に沿って一直線状に整列配置されており、凹部４５に固定される発光素子４１は、整列方向に沿って一直線状に整列配置されている、
【００４６】
このように構成することで、凸部４４に発光素子４１を搭載する際に押し出された接着剤４６が、予め凹部４５に搭載された発光素子４１により干渉しにくくなり、発光素子４１の位置ずれをより抑制可能になる。
【００４７】
凸部４４に固定される発光素子４１と、凹部４５に固定される発光素子４１との整列方向と垂直方向のずれが小さい場合には、比較的径の大きい素子側レンズ４２ａを有するレンズブロック４２を用いることで、凸部４４に固定される発光素子４１と、凹部４５に固定される発光素子４１との整列方向と垂直方向の位置ずれを吸収することが可能である。
【００４８】
凸部４４に固定される発光素子４１と、凹部４５に固定される発光素子４１との整列方向と垂直方向のずれが大きい場合には、凸部４４に固定される発光素子４１に対応した素子側レンズ４２ａと、凹部４５に固定される発光素子４１に対応した素子側レンズ４２ａとを整列方向と垂直方向にずらして形成したレンズブロックを用いることができる。なお、凸部４４に固定される発光素子４１と、凹部４５に固定される発光素子４１との整列方向と垂直方向のずれが非常に大きく、レンズブロックの大型化が問題となる場合には、凸部４４に固定される発光素子４１のためのレンズブロックと、凹部４５に固定される発光素子４１のためのレンズブロックとを別体に構成しても構わない。
【００４９】
また、本実施の形態では、発光素子４１が単光学素子である場合を説明したが、発光素子４１が複数の発光部を有するアレイ状素子であってもよい。この場合、アレイ状光素子としては、比較的安価な発光部の数が少ないものを用いることが望ましい。
【００５０】
さらに、本実施の形態では、送信側光電変換部４において、発光素子４１を凸部４４と凹部４５とに実装する場合を説明したが、これに限らず、送信側光電変換部４と同様の構造を受信側光電変換部６に適用してもよい。
【００５１】
すなわち、受信側光電変換部６は、基板としてのベースの表面に、複数の溝または突起が任意の整列方向に離間して形成され、表面の高さ位置が異なる凸部と凹部とが整列方向に沿って交互に形成されており、凸部と凹部に、それぞれ受光素子が接着剤により固定された構造となっていてもよい。受光素子としては、単光学素子を用いてもよいし、複数の受光部を有するアレイ状素子（比較的安価な受光部の数が少ないもの）を用いてもよい。
【００５２】
つまり、本発明は、送信側光電変換部４と受信側光電変換部６のいずれにも適用可能であり、光モジュール１は、送信側光電変換部４と受信側光電変換部６のいずれか一方が、基板の凸部と凹部のそれぞれに光素子が搭載された構造となっていればよい。
【００５３】
（実施の形態の作用及び効果）
以上説明したように、本実施の形態に係る光モジュール１では、基板としてのベース４３の表面に、複数の溝４３ａ（または突起）が整列方向に離間して形成され、表面の高さ位置が異なる凸部４４と凹部４５とが整列方向に沿って交互に形成されており、凸部４４と凹部４５に、それぞれ光素子（発光素子４１または受光素子）が接着剤４６により固定されている。
【００５４】
このように構成することで、先に凹部４５に光素子（発光素子４１または受光素子）を載置しておけば、凸部４４と凹部４５との間の段差４７により凹部４５に載置された光素子の移動が規制されることになり、狭いピッチＰで光素子を配置する場合であっても、凸部４４に光素子を載置する際に押し出された接着剤４６の影響で、凹部４５に載置された光素子に位置ずれが発生してしまうことを抑制できる。
【００５５】
つまり、本実施の形態によれば、狭いピッチＰで光素子を配置でき、かつ、光素子の位置ずれを抑制可能な光モジュール１を実現できる。
【００５６】
その結果、安価な単光学素子（あるいは比較的安価な発光部や受光部の数が少ないアレイ状素子）を用いて複数チャンネルの通信を実現することができ、光モジュール１の低コスト化が可能になる。本発明は、特にアレイ状素子がより高価となる高速伝送用途において、特に効果を奏する。また、本実施の形態によれば、狭いピッチＰで光素子を配置でき、光素子の高密度実装が可能となるため、レンズブロック４２や基板としてのベース４３の小型化が可能となり、光モジュール１全体の小型化に寄与する。
【００５７】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００５８】
［１］複数本の光ファイバ（５）と、前記複数本の光ファイバ（５）と光結合される複数の光素子（４１）と、前記複数の光素子（４１）が搭載される基板（４３）と、を備え、前記基板（４３）の表面には、複数の溝（４３ａ）または突起が整列方向に離間して形成され、表面の高さ位置が異なる凸部（４４）と凹部（４５）とが前記整列方向に沿って交互に形成されており、前記凸部（４４）と前記凹部（４５）に、それぞれ前記光素子（４１）が接着剤（４６）により固定されている、光モジュール（１）。
【００５９】
［２］前記凸部（４４）と前記凹部（４５）との間の段差（４７）の高さが、２５μｍ以上５０μｍ以下である、［１］に記載の光モジュール（１）。
【００６０】
［３］前記凹部（４５）の前記整列方向に沿った幅が、少なくとも、前記凸部（４４）の前記整列方向に沿った幅以下である、［１］または［２］に記載の光モジュール（１）。
【００６１】
［４］前記光素子（４１）が、発光部または受光部を１つ有する単光学素子からなる、［１］乃至［３］の何れか１項に記載の光モジュール（１）。
【００６２】
［５］前記凸部（４４）に固定される前記光素子（４１）が、前記整列方向に沿って整列配置され、前記凹部（４５）に固定される前記光素子（４１）が、前記整列方向に沿って整列配置されており、前記凸部（４４）に固定される前記光素子（４１）と、前記凹部（４５）に固定される前記光素子（４１）とが、前記整列方向と垂直方向にずれた位置に搭載されている、［１］乃至［４］の何れか１項に記載の光モジュール（１）。
【００６３】
［６］前記基板は、送信用または受信用の回路基板に設けられた切欠きを塞ぐように設けられ、前記回路基板のグランドパターンと電気的に接続された金属からなるベースからなる、［１］乃至［５］の何れか１項に記載の光モジュール（１）。
【００６４】
［７］複数本の光ファイバ（５）と、前記複数本の光ファイバ（５）と光結合される複数の光素子（４１）と、前記複数の光素子（４１）が搭載される基板（４３）と、を備えた光モジュール（１）の製造方法であって、前記基板（４３）の表面に、複数の溝（４３ａ）または突起を整列方向に離間して形成し、表面の高さ位置が異なる凸部（４４）と凹部（４５）とを前記整列方向に沿って交互に形成し、前記凸部（４４）と前記凹部（４５）に接着剤（４６）を塗布し、前記凹部（４５）の前記接着剤（４６）を塗布した位置に、前記光素子（４１）を載置した後に、前記凸部（４４）の前記接着剤（４６）を塗布した位置に、前記光素子（４１）を載置し、前記接着剤（４６）を硬化させる、光モジュール（１）の製造方法。
【００６５】
［８］前記基板（４３）の表面に、エッチングにより前記複数の溝（４３ａ）を形成することにより、前記凸部（４４）と前記凹部（４５）とを形成した、［７］に記載の光モジュール（１）の製造方法。
【００６６】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００６７】
本発明は、その趣旨を逸脱しない範囲で適宜変形して実施することが可能である。
【符号の説明】
【００６８】
１…光モジュール
２…送信側回路基板
３…受信側回路基板
４…送信側光電変換部
５…送信側光ファイバ（光ファイバ）
６…受信側光電変換部
７…受信側光ファイバ
８…筐体
９…光ファイバケーブル
４１…発光素子（光素子）
４２…レンズブロック
４２ａ…素子側レンズ
４２ｂ…ファイバ側レンズ
４２ｃ…反射面
４３…ベース（基板）
４３ａ…溝
４４…凸部
４５…凹部
４６…接着剤
４７…段差
【図１】
2017102319.tif 000003
【図２】
2017102319.tif 000004
【図３】
2017102319.tif 000005
【図４】
2017102319.tif 000006
【図５】
2017102319.tif 000007
【図６】
2017102319.tif 000008